(57)【特許請求の範囲】
【請求項１】
柔軟性を有する一枚の薄板材料から成形した保持平板であって、円形状を呈するボール保持孔を穿設し、一端部に取付孔を穿設した円環状を呈する左右の保持部と、これら左右の保持部の他端部を連結し、縦幅及び横幅をボールの外径の１／３〜２／３とした中央の連結部と、から成る眼鏡形状を呈する一枚の保持平板と、
この保持平板の左右に形成した前記取付孔に各端部を縛着した紐状部材と、この紐状部材を挿通させて締め付ける締付部材と、から成る吊下部材と、
から構成されるボール保持具。
【請求項２】
前記柔軟性を有する薄板材料は、柔軟性を有する合成樹脂材料又はゴム材料であることを特徴とする請求項１に記載のボール保持具。
【請求項３】
前記保持平板の表面に適宜文字、模様、色彩を施したことを特徴とする請求項１又は２に記載のボール保持具。
【発明の詳細な説明】
【技術分野】
【０００１】
本発明は、主として、サッカーボール、バレーボール等の球技用ボールを保管、携帯等するのに適したボール保持具に関する。
【背景技術】
【０００２】
近年、サッカーのＪリーグ、バレーボールのＶリーグのように、スポーツのプロ化及びその人気、繁栄に伴って、スポーツに親しむ人々の数は年々増加し、同時に、その年齢層も幅広くなってきた。
サッカーを例に取れば、就学前の幼児の段階から、幼稚園やクラブチームが開催するサッカー教室でサッカーを覚え初め、青年になってからは、市民クラブチーム等で簡易なサッカーであるフットサルを手軽に楽しむ、というようになってきた。
【０００３】
スポーツの中でも、サッカー、バレーボール等の球技を楽しむ者は、その練習又は試合において使用するサッカーボール等を自宅に保管しておき、練習又は試合に行く際に携帯するのが一般的である。
このように、サッカーボール等を自宅に保管し、練習又は試合に行く際に携帯する手段として、従来は、網状部材を袋状に形成したボールネットや大型のスポーツバッグを使用し、それらにボールを収納するようにしていた。
【０００４】
又、支持帯によって連結した２体の円形状支球輪と、一方の支球輪に連結した鎖状部材から構成され、２体の支球輪によってボールを挟持し、掛止部材を他方の支球輪に掛止して、携行できるようにしたボール保持具も知られている（特許文献１参照）。
【０００５】
【特許文献１】実開昭４８−７０７６１号公報
【発明の開示】
【発明が解決しようとする課題】
【０００６】
しかし、ボールネットの場合には、ボールを収納して手に持って歩いたり、自転車の籠に挿入して移動する際、誤ってボールネットを落下させると、路面でボールが弾んで自由に転がって行ってしまう。又、これによって、慌てたボールの携帯者や周囲の通行者の身に危険が及ぶ可能性がある。
【０００７】
又、ボールネットは、網目が細かいと共に袋状に形成されているため、一旦ボールを収納し、そして、取り出した後には、ボールネットが捩れる等するため、挿入口が分かり難くなり、特に、低年齢の子供にとっては、自分でボールを収納するのが難しくなるという問題があった。
【０００８】
さらに、ボールネットは、網状部材を単に袋状に形成したものであって、スポーツがファッショナブルなイメージと強く結びついている最近の傾向にもかかわらず、そのようなイメージとは程遠い形態のものである。
【０００９】
大型のスポーツバッグの場合には、泥等で汚れたボールを着替用下着類等と一緒に収納することに心理的な抵抗感を持つ人も多いと共に、ボール以外に然したる携帯品がない時には、大きなスポーツバッグは嵩張って煩わしい。
【００１０】
又、特許文献１に記載のボール保持具の場合には、部品点数が多く、構造が複雑である上に、主要構成部材が金属製材料から成るため重く、携帯には不向きである。さらに、美観にも優れているとは言い難いものである。
【００１１】
本発明は、このような従来の問題点に鑑みて為されたものであって、その目的とするところは、万が一落下させてもボールが弾んで自由に転がって行くことはなく、低年齢の子供であってもボールを収納し易く、部品点数が少なく、構造が簡単であり、軽量であるため、携帯に極めて便利であり、ファッショナブルなイメージをも与えることができるボール保持具を提供することにある。
【課題を解決するための手段】
【００１２】
上記目的を達成するために、本発明のボール保持具は、柔軟性を有する一枚の薄板材料から成形した保持平板であって、円形状を呈するボール保持孔を穿設し、一端部に取付孔を穿設した円環状を呈する左右の保持部と、これら左右の保持部の他端部を連結し、縦幅及び横幅をボールの外径の１／３〜２／３とした中央の連結部と、から成る眼鏡形状を呈する一枚の保持平板と、この保持平板の左右に形成した前記取付孔に各端部を縛着した紐状部材と、この紐状部材を挿通させて締め付ける締付部材と、から成る吊下部材と、から構成されることを特徴とする。
【００１３】
このような構成によれば、ボールの左右側面部が左右の保持部のボール保持孔内に嵌入され、ボールは保持平板の弾性力によって確実に保持される。
又、ボールが保持された時、保持部及び連結部の周辺部は外方に突出した状態となるから、ボール保持具を床面に載置した時等に、ボールが自由に転がってしまうことはない。
【００１４】
さらに、ボール保持孔を形成しただけの単純な形状の保持平板から成るから、ボールの収納方法が分からないということはなく、低年齢の子供であっても、ボールを極めて簡単な操作で収納及び開放することができる。
【００１５】
前記柔軟性を有する薄板材料は、柔軟性を有する合成樹脂材料又はゴム材料であることが好ましい。
【００１６】
前記保持平板の表面に適宜文字、模様、色彩を施せば、よりファッション性に富んだイメージを演出することができる。
【発明を実施するための最良の形態】
【００１７】
以下、本発明のボール保持具の好適な実施形態について、添付図面を参照しつつ具体的に説明する。
ここで、図１は、本発明のボール保持具の平面図、図２は、サッカーボールの平面図、    図３は、締付部材の本体の（Ａ）は平面図、（Ｂ）は側面図、（Ｃ）は正面図、（Ｄ）は底面図、（Ｅ）はI−I線断面図、（Ｆ）はII−II線断面図、図４は、締付部材の作動体の（Ａ）は平面図、（Ｂ）は側面図、（Ｃ）は正面図、（Ｄ）は底面図、（Ｅ）はI−I線断面図、（Ｆ）はII−II線断面図、図５は、締付部材を紐状部材の適宜個所に固定させた状態を示す（Ａ）は正面図、（Ｂ）はI−I線断面図、（Ｃ）はII−II線断面図、図６は、締付部材を紐状部材に沿って移動自在とした状態を示す（Ａ）は正面図、（Ｂ）はI−I線断面図、（Ｃ）はII−II線断面図である。
【００１８】
本発明のボール保持具１は、図１に示すように、保持平板２と、吊下部材３とから構成されている。
【００１９】
保持平板２は、図１に示すように、柔軟性を有する薄板材料をプレス成形等によって眼鏡形状（略８文字形状）に成形してあり、円環状を呈する左右の保持部４，５を中央の連結部６によって連結してある。
そして、保持部４，５には円形状を呈するボール保持孔７，８を穿設してある。
【００２０】
柔軟性を有する薄板材料としては、柔軟性を有する合成樹脂材料、ゴム材料を採用することができる。特には、塩化ビニル樹脂、ポリエチレン等の合成樹脂材料、イソプレンゴム、ウレタンゴム等のゴム材料を採用するのが好ましい。
【００２１】
図２に示すようなサッカーボール等のボール５１を保持する場合、保持部４，５の外径Ｄ１は、ボール５１の外径Ｄｓより若干大となるようにし、ボール保持孔７，８の内径Ｄ２は、ボール５１の外径Ｄｓより若干小となるようにしてある。
【００２２】
保持部４，５の一端部には、図１に示すように、取付孔９，１０を穿設し、その取付孔９，１０には鳩目金具１１，１２を嵌着してある。
【００２３】
連結部６の縦幅Ｗ１及び横幅Ｗ２は、ボール５１の外径Ｄｓの１／３〜２／３としてあり、特には、１／２程度とするのが好ましい。
【００２４】
吊下部材３は、図１に示すように、紐状部材１３と締付部材１４とから構成され、紐状部材１３の中間部に締付部材１４を装着すると共に、紐状部材１３の両端部を保持部４，５の一端部に嵌着した鳩目金具１１，１２に縛着してある。
【００２５】
締付部材１４は、図３乃至６に示すように、本体１５及び作動体１６から構成されている。
【００２６】
本体１５は、硬質な合成樹脂材料から成り、図３に示すように、上端部を切断した球状を呈している。
そして、上端部から下端部にかけて、下端面を円弧状とした嵌挿孔１７を穿設すると共に、上半部に前後に貫通させて、嵌挿孔１７に直交する挿通孔１８を形成してある。
又、嵌挿孔１７の内壁面には、上端部から中間部にかけて、案内凸部１９，１９を形成してある。
【００２７】
作動体１６は、硬質な合成樹脂材料から成り、図４に示すように、上半部を円筒状の胴部２０とすると共に、下半部に４本の脚部２１，２１，・・・を形成してある。
胴部２０には、前後に貫通させて、挿通孔２２を形成してあり、上寄部から下端部にかけて、案内溝部２３，２３を形成してある。又、挿通孔２２に沿って、突起２４，２４を
形成してある。
脚部２１を薄肉板状とし、脚部２１，２１間に切欠部２５を形成して、脚部２１を可撓性を有するものとしたから、側方から負荷がかかると、脚部２１は、内方に撓むようになっている。
【００２８】
締付部材１４は、図５及び６に示すように、案内凸部１９に案内溝部２３を嵌合させつつ、本体１５の嵌挿孔１７に作動体１６を嵌挿することによって構成される。
ここで、案内凸部１９の上端面が案内溝部２３の上端面に衝当すると、それ以上作動体１６は下方移動できなくなるから、必要以上に作動体１６が押し込まれることはない。
一方、作動体１６に何等かの力が働いて上方移動しても、突起２４，２４が本体１５の挿通孔１８の上側内壁面等に引っ掛かるから、本体１５から抜け出ることもない。
そして、本体１５の挿通孔１８及び作動体１６の挿通孔２２に紐状部材１３を挿通させることによって、紐状部材１３の中間部に締付部材１４を装着することができる。
【００２９】
通常状態では、図５（Ｂ）に示すように、嵌挿孔１７の下端面に脚部２１の下端部が当接しており、本体１５の挿通孔１８と作動体１６の挿通孔２２の軸心がずれているから、紐状部材１３は締付部材１４内で屈曲し、締付部材１４は紐状部材１３の適宜個所に固定される。
【００３０】
作動体１６の上端面を押下すれば、図６（Ｂ）に示すように、嵌挿孔１７の下端面に当接している脚部２１が撓み、作動体１６が下方に移動して、本体１５の挿通孔１８と作動体１６の挿通孔２２の軸心を略一致させることができるから、紐状部材１３は締付部材１４内で略直線状となり、締付部材１４は紐状部材１３に沿って移動可能となる。
【００３１】
本発明のボール保持具１は、以上のような構成であって、以下のようにして、ボール５１を保持することができる。
ここで、図７は、ボール保持具によってボールを保持する方法を示す平面図、図８は、ボール保持具によってボールを保持した状態を示す斜視図である。
【００３２】
先ず、図１に示すように、保持平板２を平坦な床面等の上に展開した状態で載置し、図７に示すように、ボール５１を保持平板２の連結部６上に載置する。
【００３３】
次に、締付部材１４を一方の手で把持し、人差し指等の指先で作動体１６の上端面を押下しつつ、紐状部材１３の中間部を他方の手で把持し、上方に引き上げれば、図８に示すように、締付部材１４は紐状部材１３に沿って下方に移動する。
そして、ボール５１の左右の側面部が左右の保持部４，５のボール保持孔７，８内に嵌入されると、ボール５１は、保持平板２の有する弾性力によって確実に保持される。
【００３４】
ボール５１が保持平板２に保持された時、保持平板２の保持部４，５及び連結部６の周辺部は、図８に示すように、外方に羽根状に突出した状態となる。
よって、ボール５１を保持したボール保持具１を床面に載置した時、又、誤ってボール保持具１を落下した時も、この突出した羽根状部によってボール５１が自由に転がってしまうことはない。
【００３５】
一方、図８に示すように、ボール５１を保持平板２によって保持した状態で、紐状部材１３の中間部を一方の手で把持し、締付部材１４を他方の手で把持し、指先で作動体１６の上端面を押下しつつ、紐状部材１３に沿って上方に移動させれば、図７に示すように、保持平板２は直ちに床面等の上に展開した状態となり、ボール５１を開放することができる。
尚、締付部材１４を紐状部材１３に沿って上方に移動させる際、締付部材１４が紐状部材１３から抜け出てしまわないように、紐状部材１３の適宜個所に結び目２６を形成しておくのが好ましい。
【００３６】
以上のように、ボール保持具１は、ボール保持孔７，８を形成しただけの単純な形状の保持平板２から成るから、ボール５１の収納方法が分からないということはなく、低年齢の子供であっても、ボール５１を極めて簡単な操作で収納及び開放することができる。
【００３７】
又、ボール保持具１は、保持平板２と吊下部材３から構成され、部品点数が少なく、構造も極めて簡単である上、保持平板２は合成樹脂材料又はゴム材料から成るため、極めて軽量であり、携帯に好適である。
【００３８】
さらに、ボール保持具１は、保持平板２と吊下部材３から構成され、機能的デザインとして優れると共に、保持平板２の表面又は裏面にチームのロゴ、キヤラクター、任意の模様等を適宜色彩で印刷することができ、吊下部材３にも適宜模様、色彩を施すことができるから、ファッション性に富んだイメージを演出することができる。
【００３９】
上述の実施形態においては、吊下部材３を紐状部材１３と締付部材１４とから構成したが、ベルト等の帯状部材とバックル等の連結部材とから構成してもよく、その他、適宜形態の吊下部材を構成してもよい。
【００４０】
又、保持平板２の外周形状、ボール保持孔７，８の形状も、本発明の機能を損なわない限り、適宜変形してデザイン的な要素をさらに加味してもよい。
【図面の簡単な説明】
【００４１】
【図１】本発明のボール保持具の平面図である。
【図２】ボールの平面図である。
【図３】締付部材の本体の（Ａ）は平面図、（Ｂ）は側面図、（Ｃ）は正面図、（Ｄ）は底面図、（Ｅ）はI−I線断面図、（Ｆ）はII−II線断面図である。
【図４】締付部材の作動体の（Ａ）は平面図、（Ｂ）は側面図、（Ｃ）は正面図、（Ｄ）は底面図、（Ｅ）はI−I線断面図、（Ｆ）はII−II線断面図である。
【図５】締付部材を紐状部材の適宜個所に固定させた状態を示す（Ａ）は正面図、（Ｂ）はI−I線断面図、（Ｃ）はII−II線断面図である。
【図６】締付部材を紐状部材に沿って移動自在とした状態を示す（Ａ）は正面図、（Ｂ）はI−I線断面図、（Ｃ）はII−II線断面図である。
【図７】図１に示すボール保持具によってボールを保持する方法を示す平面図である。
【図８】図１に示すボール保持具によってボールを保持した状態を示す斜視図である。
【符号の説明】
【００４２】
１  ボール保持具
２  保持平板
３  吊下部材
４，５  保持部
６  連結部
７，８  ボール保持孔
１３  紐状部材
１４  締付部材
５１  ボール
【図１】
0005340585.tif 000002
【図２】
0005340585.tif 000003
【図３】
0005340585.tif 000004
【図４】
0005340585.tif 000005
【図５】
0005340585.tif 000006
【図６】
0005340585.tif 000007
【図７】
0005340585.tif 000008
【図８】
0005340585.tif 000009